(57)【要約】【課題】  管体の上面の集水用スリットから内部に取り込んだ湧水を、底面に開口された集水用スリットから再び地盤中に流出させない集水管およびその打設方法を提供することである。【解決手段】  集水管１は、管体２の両側面に打設用ガイド片５が長さ方向に沿って突設され、該打設用ガイド片５から上側の管体２ａに集水孔１１が設けられ、管体の先端部に嵌入用ヘッド３が嵌合されるとともに、管体の後端部には打撃用ソケット４が嵌合されて構成される。【選択図】  図１
2010070995.tif 000002
【特許請求の範囲】
【請求項１】
管体の両側面に長さ方向に沿って打設用ガイド片が突設され、該打設用ガイド片から上側の管体に集水孔が設けられ、管体の先端部には嵌入用ヘッドが嵌合されるとともに、管体の後端部には打撃用ソケットが嵌合されてなることを特徴とする集水管。
【請求項２】
集水孔は打設用ガイド片の近傍にも開口され、該打設用ガイド片の近傍の集水孔は、その下面と打設用ガイド片の上面とが同一面になるように開口されたことを特徴とする請求項１に記載の集水管。
【請求項３】
打設用ガイド片は外端側に向かって漸次上側に傾斜して形成されたことを特徴とする請求項１または２に記載の集水管。
【請求項４】
請求項１〜３の集水管の打設方法であり、管体の打設用ガイド片を水平にして地山に打設し、該打設用ガイド片をガイドとし、かつこれを目視しながら所定の深さまで打設することを特徴とする集水管の打設方法。
【発明の詳細な説明】
【技術分野】
【０００１】
本願発明は地盤中の湧水などを排水するために地山などに打設する集水管およびその打設方法に関するものである。
【背景技術】
【０００２】
一般に法壁の地滑り防止などを目的として、地盤中における湧水などを排水するために地山に集水管が打設されている。そして、この集水管１８で地盤中の湧水を集めて排水しているが、従来は図７に示すように、周面に集水用スリット１９が開口されたものが使用されていた。そして、図７の（２）および（３）に示すように、地盤２０中に打設された集水管１８の集水用スリット１９から湧水２１などを取り込んで排水するようにしていた。また、その他の集水管としては、例えば特開２００３−２９３３５６号公報の発明が知られている。
【特許文献１】特開２００３−２９３３５６号公報
【発明の開示】
【発明が解決しようとする課題】
【０００３】
しかし、上記の集水管は、図７の（２）および（３）に示すように、管体上面の集水用スリット１９から湧水２１などを取り込んでも、管体の底面を流れるうちに、そこに開口された集水用スリット１９から再び地盤２０中に水２１が流れ出てしまうという問題があった。
【０００４】
本願発明はこれらの問題に鑑みてなされたものであり、その目的は、管体上面の集水用スリットから内部に取り込んだ湧水を、底面に開口された集水用スリットから再び地盤中に流出させない集水管およびその打設方法を提供することである。
【課題を解決するための手段】
【０００５】
以上の課題を解決するための集水管は、管体の両側面に長さ方向に沿って打設用ガイド片が突設され、該打設用ガイド片から上側の管体に集水孔が設けられ、管体の先端部に嵌入用ヘッドが嵌合されるとともに、管体の後端部には打撃用ソケットが嵌合されてなることを特徴とする。また集水孔は打設用ガイド片の近傍にも開口され、該打設用ガイド片の近傍の集水孔は、その下面と打設用ガイド片の上面とが同一面になるように開口されたことを含む。また打設用ガイド片は外端側に向かって漸次上側に傾斜して形成されたことを含むものである。
また集水管の打設方法は、管体の両側面に長さ方向に沿って打設用ガイド片が突設され、該打設用ガイド片から上側の管体に集水孔が設けられ、管体の先端部に嵌入用ヘッドが嵌合されるとともに、管体の後端部には打撃用ソケットが嵌合されてなる集水管の打設方法であり、管体の打設用ガイド片を水平にして地山に打設し、該打設用ガイド片をガイドとし、かつこれを目視しながら所定の深さまで打設することを特徴とする。また集水孔は打設用ガイド片の近傍にも開口され、該打設用ガイド片の近傍の集水孔は、その下面と打設用ガイド片の上面とが同一面になるように開口されたことを含む。また打設用ガイド片は外端側に向かって漸次上側に傾斜して形成されたことを含むものである。
【発明の効果】
【０００６】
打設用ガイド片から上側の管体に集水孔が設けられ、打設用ガイド片から下側の管体には集水孔が設けられていないため、集水孔から管体内に取り込まれた水は管体の下側を流れて排出される。また打設用ガイド片の近傍の集水孔は、その下面と打設用ガイド片の上面とが同一面になるように開口されたことにより、上側の管体からの水が打設用ガイド片で貯められ、それが打設用ガイド片の近傍における集水孔から管体内に取り込まれる。また打設用ガイド片は外端側に向かって漸次上側に傾斜して形成されたことにより、上側の管体からの水が打設用ガイド片で貯め易くなり、かつそれを打設用ガイド片の近傍における集水孔から管体内に取り込み易くなる。
また管体の打設用ガイド片を水平にして地山に打設し、該打設用ガイド片をガイドとし、かつこれを目視しながら所定の深さまで打設することにより、管体のねじれを防ぐことができるとともに、常に管体の上面を上側に位置させて集水管を地盤に打設することができる。また打設用ガイド片をガイドにして集水管を打設することができるので、集水管を容易に地盤に打設することができる。
【発明を実施するための最良の形態】
【０００７】
以下、本願発明の集水管およびその打設方法の実施の形態について説明する。まず集水管について説明し、その後に集水管の打設方法について説明するが、各実施の形態において同じ構成は同じ符号を付して説明し、異なった構成は異なった符号を付して説明する。
【０００８】
図１および図２は第１の実施の形態の集水管１である。この集水管１は管体２と、該管体２の先端部に嵌合された嵌入用ヘッド３と、管体２の後端部に嵌合された打撃用ソケット４とから構成され、管体２の両側面には打設用ガイド片５が長さ方向に沿って突設されている。また嵌入用ヘッド３はヘッド６から延びた四枚の嵌合体７が管体内側に嵌入されて管体の先端部に取り付けられ、打撃用ソケット４も上記と同様にソケット８から延びた三枚の嵌合体９が管体内側に嵌入されて管体２の後端部に取り付けられている。
【０００９】
また打設用ガイド片５は管体２の中心を通る水平軸１０と同一軸線になるように、管体２の側面が外側に引き延ばされて一体的に形成されている。また打設用ガイド片５の上側の管体には集水孔である集水用スリット１１が開口され、打設用ガイド片５の近傍に開口された集水用スリット１１は、その下面１１ａと打設用ガイド片の上面５ａとが同一面になるように開口されている。これは打設用ガイド片５に集められた水１２を管体２内に流れ込み易くするためである。一方、打設用ガイド片５の下側の管体には集水孔が開口されずに通水路１６を形成し、これで集水スリット１１から管体２内に流れ込んだ水を流している。なお、集水孔は集水スリット１１に限らず、円形、楕円形またはその他の形状の孔であっても良い。
【００１０】
また図３は第２の実施の形態の集水管１３である。この集水管１３は打設用ガイド片１４が傾斜して形成されたものであり、これ以外は上記の第１の実施の形態の集水管１と同じ構成である。この打設用ガイド片１４は外端部側（管体から離れる方向）に向かって漸次上側に傾斜して形成されることにより水１２を集めやすくかつ貯めやすくなり、ここに貯まった水１２を、その下面１１ａが打設用ガイド片の上面１４ａと同一の集水スリット１１から管体２内に流し込み易くしている。
【００１１】
また図４および図５は第１の実施の形態の集水管１を地山１５に打設したものであり、嵌入用ヘッド３を上側にし、打撃用ソケット４を下側にして打設されている。そして、打設用ガイド片５から上側の管体２ａに開口された集水スリット１１から管体２内に地盤中の水１２が流入されるとともに、集水スリット１１から流入されなかった水１２は管体２ａの表面を流れて打設用ガイド片５に集められて、ここに貯められる。そして、ここに貯まった水１２は集水スリット１１から管体２内に流れ込むとともに、集水スリット１１から流れ込まなかった水１２は打設用ガイド片５を通って外側に排水される。すなわち打設用ガイド片５も嵌入用ヘッド側が上側で、打撃用ソケット側が下側になっているため、集水スリット１１から管体２内に流れ込まなかった水１２の通り道としての役割を果たして、外側に排水するようにしている。なお、図６に示すように、第２の実施の形態の集水管１３を地盤中に打設した場合も上記と同じ効果を奏することができる。
【００１２】
次に、集水管の打設方法について説明する。この打設方法は第１の実施の形態の集水管１を使用するものとする。まず、地山１５に打設する必要な数の集水管１を現場に運搬する。そして、この集水管１を、打設用ガイド片５を水平状にし、かつ嵌入用ヘッド３が上側に位置するように打設する。この打設は打設機または手動のハンマーで行うが、打設用ガイド片５が地盤中への嵌入のガイドとなるため容易に打設することができるとともに、打設用ガイド片５が管体２のねじり、すなわち回転を防止する役割を果たす。また、この打設用ガイド片５を常に目視した状態で打設するため、集水管１の打設状況を把握しながら打設することができるので、打設用ガイド片５が打設の目印にもなる。このような方法で集水管１を地山１５に順次打設して必要な数の集水管１を打設する。なお、第２の実施の形態の集水管１３も上記と同じ方法で打設するものであり、上記と同じ効果を奏するものである。
【図面の簡単な説明】
【００１３】
【図１】第１の実施の形態の集水管の正面図である。
【図２】（１）は第１の実施の形態の集水管の断面図、（２）は（１）のＡ−Ａ断面図、（３）は同Ｂ−Ｂ断面図である。
【図３】（１）は第２の実施の形態の集水管の正面図、（２）は（１）のＣ−Ｃ断面図である。
【図４】第１の実施の形態の集水管を打設した地山の断面図である。
【図５】（１）は地山に打設した第１の実施の形態の集水管の一部省略断面図、（２）は同Ｄ−Ｄ断面図である。
【図６】（１）は地山に打設した第２の実施の形態の集水管の一部省略断面図、（２）は同Ｅ−Ｅ断面図である。
【図７】従来の集水管であり、（１）は正面図、（２）は断面図、（３）は（２）のＦ−Ｆ断面図である。
【符号の説明】
【００１４】
１、１３  集水管
２  管体
３  嵌入用ヘッド
４  打撃用ソケット
５、１４  打設用ガイド片
６  ヘッド
７  嵌合片
８  ソケット
９  嵌合体
１０  水平軸
１１  集水スリット
１２  水
１４  補強枠体
１５  地山
【図１】
2010070995.tif 000003
【図２】
2010070995.tif 000004
【図３】
2010070995.tif 000005
【図４】
2010070995.tif 000006
【図５】
2010070995.tif 000007
【図６】
2010070995.tif 000008
【図７】
2010070995.tif 000009